(57)【要約】【課題】読取センサの円滑な移動が２つのコンタクトガラス間に生じる段差によって阻害されるのを防止する。【解決手段】流し読取用の第１のコンタクトガラス３３と、載置読取用の第２のコンタクトガラス３４と、流し読取により第１のコンタクトガラス上を走行する原稿５の画像及び載置読取により第２のコンタクトガラス上に載置された原稿の画像を読み取る読取センサ４０と、読取センサの移動方向に沿って第１及び第２のコンタクトガラスの周囲に設けられ、読取センサの移動をガイドするガイド部材３５と、読取センサの近傍に設けられ、ガイド部材との間隔を規制する間隔規制部材４１，４２と、読取センサ及び間隔規制部材をガイド部材に付勢する付勢手段３８，３９と、間隔規制部材をガイド部材に当接させた状態で、読取センサ及び間隔規制部材をガイド部材に沿って移動させる移動機構（キャリッジ３７、ガイドシャフト３６）とを有する。【選択図】図３
2011114434.tif 000002
【特許請求の範囲】
【請求項１】
原稿の画像を読み取る画像読取装置において、
前記原稿の流し読取に用いられる第１のコンタクトガラスと、
前記原稿の載置読取に用いられる第２のコンタクトガラスと、
前記流し読取により前記第１のコンタクトガラス上を走行する前記原稿の画像及び前記載置読取により前記第２のコンタクトガラス上に載置された前記原稿の画像を読み取る読取センサと、
前記読取センサの移動方向に沿って前記第１及び前記第２のコンタクトガラスの周囲に設けられ、前記読取センサの移動をガイドするガイド部材と、
前記読取センサの近傍に設けられ、前記ガイド部材との間隔を規制する間隔規制部材と、
前記読取センサ及び前記間隔規制部材の双方を前記ガイド部材に付勢する付勢手段と、
前記間隔規制部材を前記ガイド部材に当接させた状態で、前記読取センサ及び前記間隔規制部材の双方を前記ガイド部材に沿って移動させる移動機構とを有する
ことを特徴とする画像読取装置。
【請求項２】
請求項１に記載の画像読取装置において、
さらに、前記第１及び前記第２のコンタクトガラスを支持するフレームを有し、
前記ガイド部材は、前記フレームと一体に成形されている
ことを特徴とする画像読取装置。
【請求項３】
請求項２に記載の画像読取装置において、
前記フレームは、第１及び前記第２のコンタクトガラスの沿部表面に貼着された貼着部材によって、前記第１及び前記第２のコンタクトガラスを支持する
ことを特徴とする画像読取装置。
【請求項４】
請求項１に記載の画像読取装置において、
さらに、前記ガイド部材を支持するフレームを有し、
前記第１及び前記第２のコンタクトガラスは、前記フレームの下方に配置され、
前記ガイド部材は、前記第１及び前記第２のコンタクトガラスを下面側から支持する
ことを特徴とする画像読取装置。
【請求項５】
請求項４に記載の画像読取装置において、
前記ガイド部材は、前記第１及び前記第２のコンタクトガラスと接触する部分に貼着された貼着部材が、前記第１及び前記第２のコンタクトガラスを固定している
ことを特徴とする画像読取装置。
【請求項６】
請求項１乃至請求項５のいずれか一項に記載の画像読取装置と、
前記画像読取装置が読み取った画像を形成する画像形成装置とを備える
ことを特徴とする複合装置。
【発明の詳細な説明】
【技術分野】
【０００１】
本発明は、読取センサの円滑な移動を実現する画像読取装置、及び、当該画像読取装置を用いる複合装置に関する。
【背景技術】
【０００２】
画像読取装置としては、例えば、スキャナ装置やファクシミリ装置等がある。また、その画像読取装置を用いる複合装置としては、例えば、複写機や、ＭＦＰ等がある。なお、「ＭＦＰ」とは、Ｍｕｌｔｉ  Ｆｕｎｃｔｉｏｎ  Ｐｅｒｉｐｈｅｒａｌ（又はＰｒｏｄｕｃｔ）の略称で、プリンタにスキャナ機能やコピー機能、ファクシミリ機能等を付加した装置である。
【０００３】
画像読取装置は、読取センサで原稿を走査することにより、原稿の画像を読み取る。読取センサは、例えば、密着型イメージセンサ（Ｃｏｎｔａｃｔ  Ｉｍａｇｅ  Ｓｅｎｓｏｒ；ＣＩＳ）によって構成されている。この密着型イメージセンサは、複数の光電変換素子（Ｃｈａｒｇｅ  Ｃｏｕｐｌｅｄ  Ｄｅｖｉｃｅ；ＣＣＤ）が基板上にライン状に配列されており、画像を電気的信号に変換する。各光電変換素子は、画像データとして２値化された電気的信号を画像読取装置の演算部に出力する。
【０００４】
密着型イメージセンサは、常に最適な焦点で原稿を走査する必要があり、そのためには、高精度に形成された支持機構によって支持される必要がある。したがって、密着型イメージセンサは、支持機構の精度が低いと、焦点が安定しないため、原稿の画像を正確に読み取ることができない。
【０００５】
そこで、画像読取装置の中には、密着型イメージセンサの焦点を安定させるために、密着型イメージセンサを搭載するキャリッジと原稿が載置されるコンタクトガラス（プラテンガラス）との間に、間隔規制機構を設けたものがある（特許文献１参照）。この画像読取装置は、間隔規制機構によって、密着型イメージセンサの位置関係（焦点）がコンタクトガラスの読取基準面に対して一定になるようにしている。
【０００６】
この画像読取装置は、自動原稿搬送装置（Ａｕｔｏ  Ｄｏｃｕｍｅｎｔ  Ｆｅｅｄｅｒ；ＡＤＦ）とフラットベッド（Ｆｌａｔ  Ｂｅｄ；ＦＢ）とを備えた構成にすることができる。ＡＤＦは、原稿を走行させて、走行する原稿の画像を密着型イメージセンサに読み取らせる装置である。ＦＢは、原稿を載置して、載置された原稿の画像を密着型イメージセンサに読み取らせる原稿台である。ＡＤＦとＦＢとを備えた画像読取装置は、ＡＤＦによって搬送された原稿を読み取る動作（以下、「流し読取」と称する）と、ＦＢ（フラットベッド）上に載置された原稿を読み取る動作（以下、「載置読取」と称する）とを行うことができる。
【０００７】
ＡＤＦとＦＢとを備えた画像読取装置は、流し読取時にＡＤＦによって搬送された原稿をすくい上げてスタッカ部に導くための部材（以下、「原稿リフト部材」と称する）を設ける必要がある。そのため、ＡＤＦとＦＢとを備えた画像読取装置は、一般に、略同一面内に流し読取用のコンタクトガラスと載置読取用のコンタクトガラスとを備え、２つのコンタクトガラスの間に原稿リフト部材を配置した構成となっている。
【先行技術文献】
【特許文献】
【０００８】
【特許文献１】特開平３−２７６９５８号公報
【発明の概要】
【発明が解決しようとする課題】
【０００９】
しかしながら、従来の画像読取装置は、以下に説明するように、流し読取と載置読取とが切り替わる際に、読取センサ（密着型イメージセンサ）の円滑な移動が流し読取用のコンタクトガラスと載置読取用のコンタクトガラスとの間に生じる段差によって阻害される場合がある、という課題があった。
【００１０】
密着型イメージセンサの焦点を一定化させるためには、何らかの手段（例えば特許文献１に開示された間隔規制機構等）によって、密着型イメージセンサをコンタクトガラスに対して圧接させることが、有効である。
しかしながら、流し読取用のコンタクトガラスと載置読取用のコンタクトガラスとは、互いの間に、段差が生じている。この段差は、流し読取と載置読取とが切り替わる際に（具体的には、読取動作が流し読取から載置読取に切り替わるとき、又は、読取動作が載置読取から流し読取に切り替わるときに）、例えば特許文献１に開示された間隔規制機構等によってコンタクトガラスに圧接された状態となっている密着型イメージセンサが走行することにより、密着型イメージセンサと衝突する。そのため、この段差は、密着型イメージセンサの円滑な移動を阻害する。
【００１１】
従来の画像読取装置は、この段差が密着型イメージセンサと衝突することにより、密着型イメージセンサ及び間隔規制機構に衝撃を与える。そのため、従来の画像読取装置は、流し読取と載置読取との切り替えを繰り返し行うと、この衝撃により、密着型イメージセンサ及び間隔規制機構の一方又は双方に損傷を与える可能性があった。
また、従来の画像読取装置は、この衝撃により、密着型イメージセンサ及びその周囲の部材に寸法ずれ等が発生して、密着型イメージセンサの最適な焦点距離が不安定になる可能性があった。
【００１２】
本発明は、前記した課題を解決するためになされたものであり、読取センサの円滑な移動が２つのコンタクトガラス間に生じる段差によって阻害されるのを防止する画像読取装置を提供すること、及び、この画像読取装置を用いる複合装置を提供することを主な目的とする。
【課題を解決するための手段】
【００１３】
前記目的を達成するため、第１発明は、原稿の画像を読み取る画像読取装置であって、前記原稿の流し読取に用いられる第１のコンタクトガラスと、前記原稿の載置読取に用いられる第２のコンタクトガラスと、前記流し読取により前記第１のコンタクトガラス上を走行する前記原稿の画像及び前記載置読取により前記第２のコンタクトガラス上に載置された前記原稿の画像を読み取る読取センサと、前記読取センサの移動方向に沿って前記第１及び前記第２のコンタクトガラスの周囲に設けられ、前記読取センサの移動をガイドするガイド部材と、前記読取センサの近傍に設けられ、前記ガイド部材との間隔を規制する間隔規制部材と、前記読取センサ及び前記間隔規制部材の双方を前記ガイド部材に付勢する付勢手段と、前記間隔規制部材を前記ガイド部材に当接させた状態で、前記読取センサ及び前記間隔規制部材の双方を前記ガイド部材に沿って移動させる移動機構とを有する構成とする。
【００１４】
この画像読取装置は、間隔規制部材をガイド部材に当接させた状態で、読取センサ及び間隔規制部材をガイド部材に沿って移動させる。したがって、この画像読取装置は、間隔規制部材が読取センサと第１及び第２のコンタクトガラスとの間隔を規制しながら、ガイド部材が読取センサの移動を誘導する構成となっている。この画像読取装置は、流し読取と載置読取とが切り替わる際に、流し読取用の第１のコンタクトガラスと載置読取用の第２のコンタクトガラスとの間に段差が生じていても、その段差によって読取センサの円滑な移動が阻害されない。
【００１５】
また、第２発明は、複合装置であって、第１発明の画像読取装置と、画像読取装置が読み取った画像を形成する画像形成装置とを備える構成とする。
【００１６】
この複合装置は、第１発明の画像読取装置を用いる構成となっている。そのため、この複合装置は、第１発明の画像読取装置による機能（すなわち、間隔規制部材によって読取センサと第１のコンタクトガラス及び第２のコンタクトガラスとの間隔を規制しながら、ガイド部材によって読取センサの移動を誘導する機能）を果たすことができる。
【発明の効果】
【００１７】
第１発明によれば、読取センサの円滑な移動が２つのコンタクトガラス間に生じる段差によって阻害されるのを防止する画像読取装置を提供することができる。
また、第２発明によれば、第１発明の画像読取装置を用いる複合装置を提供することができる。
【図面の簡単な説明】
【００１８】
【図１】実施形態１に係る複合装置の構成を示す図である。
【図２】実施形態１に係る複合装置のプリンタ部の構成を示す図である。
【図３】実施形態１に係る画像読取装置の構成を示す図（１）である。
【図４】実施形態１に係る画像読取装置の構成を示す図（２）である。
【図５】実施形態１に係る画像読取装置の主要部の構成を示す図（１）である。
【図６】実施形態１に係る画像読取装置の主要部の構成を示す図（２）である。
【図７】実施形態１に係る画像読取装置の変形例の構成を示す図である。
【図８】実施形態２に係る画像読取装置の構成を示す図である。
【発明を実施するための形態】
【００１９】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２０】
［実施形態１］
＜複合装置の構成＞
（全体構成）
以下、図１を参照して、本実施形態１に係る複合装置の構成につき説明する。図１は、実施形態１に係る複合装置の構成を示す図である。図１は、本実施形態１に係る複合装置１の外観を示している。
【００２１】
図１に示すように、複合装置１は、主として、画像を形成する画像形成装置としてのプリンタ部２と、画像を読み取る画像読取装置としてのスキャナ部３とから構成される。プリンタ部２とスキャナ部３とは、図示せぬ機械的な接続部材によって結合され、図示せぬ伝送部材によって電気的に接続されている。
【００２２】
この複合装置１は、例えば、以下の機能を有している。
（１）スキャナ機能、すなわち、スキャナ部３で読み取った画像データを、例えばパーソナルコンピュータ（以下、「パソコン」と称する）やＵＳＢメモリ等の外部の電子機器に伝送する機能。
（２）プリンタ機能、すなわち、例えばパソコン等の外部の電子機器から画像データを受信して、プリンタ部２によって記録用媒体に画像を形成する機能。
（３）コピー機能、すなわち、スキャナ部３で読み取った画像データをプリンタ部２に伝送して、プリンタ部２によって記録用媒体に画像を形成する機能。
（４）ファクシミリ機能、すなわち、スキャナ部３で読み取った画像データを外部のファクシミリ装置に送信する機能、及び、外部のファクシミリ装置から画像データを受信して、プリンタ部２によって記録用媒体に画像を形成する機能。
【００２３】
（プリンタ部の構成）
以下、図２を参照して、本実施形態１に係る複合装置のプリンタ部の構成につき説明する。図２は、実施形態１に係る複合装置のプリンタ部の構成を示す図である。図２は、プリンタ部２の内部構成を示している。
【００２４】
なお、ここでは、プリンタ部２は、ＬＥＤ（Ｌｉｇｈｔ  Ｅｍｉｔｔｉｎｇ  Ｄｉｏｄｅ）タンデムカラー方式により画像を形成する構成となっているものとして説明する。しかしながら、プリンタ部２は、レーザ方式、インクジェット方式、ドットマトリクスインパクト方式等により画像を形成する構成であってもよい。
【００２５】
図２に示すように、プリンタ部２は、記録用媒体の搬送ルートに沿って、機構部２０１、定着装置２１６、及び排出ユニット２１７を有している。
【００２６】
機構部２０１は、公知の電子写真方式により画像を形成する機構である。
機構部２０１は、給紙カセット２０２、給紙ローラ２０３、レジストローラ２０５、搬送ローラ２０７、画像形成部２０８を備えている。
【００２７】
給紙カセット２０２は、図示せぬ記録用媒体を収容する収容部である。給紙カセット２０２は、画像形成部２０８の下側に設けられている。プリンタ部２は、画像形成時に、給紙カセット２０２から記録用媒体を繰り出して、画像形成部２０８に供給する。
【００２８】
給紙ローラ２０３は、給紙カセット２０２から記録用媒体を一枚ずつ繰り出す部材である。給紙ローラ２０３は、ワンウェイクラッチ機構を内蔵しており、回転方向が規制されている。
【００２９】
レジストローラ２０５は、記録用媒体の斜行を矯正する部材である。レジストローラ２０５の前後には、媒体検出センサＳＮ１，ＳＮ２が設けられている。プリンタ部２は、記録用媒体が給紙カセット２０２から繰り出されたことを媒体検出センサＳＮ１によって検知し、さらに、記録用媒体がレジストローラ２０５を通過したことを媒体検出センサＳＮ２によって検知する。
【００３０】
搬送ローラ２０７は、記録用媒体を画像形成部２０８に搬送する部材である。搬送ローラ２０７の近傍には、書き込みセンサＳＮ３が設けられている。プリンタ部２は、記録用媒体が画像形成部２０８の手前の位置に到達したことを書き込みセンサＳＮ３によって検出する。プリンタ部２は、書き込みセンサＳＮ３によって記録用媒体を検出すると、所定のタイミングで、画像形成部２０８による画像の形成を開始する。
【００３１】
画像形成部２０８は、画像を形成して記録用媒体に転写する機構である。
画像形成部２０８は、画像形成ユニット２１３と、搬送ベルトユニット２１５とを備えている。
【００３２】
画像形成ユニット２１３は、各色の画像を形成する機構である。図示例では、画像形成ユニット２１３は、例えばブラック、イエロー、マゼンタ、シアンの各色に対応して４つ設けられており、それぞれ、各色の画像を形成する。画像形成ユニット２１３は、図示せぬ帯電ローラ、露光装置２０９、トナーカートリッジ２１０、感光体ドラム２１２、図示せぬ供給ローラ、図示せぬ現像ローラ等の構成要素を備えている。
【００３３】
図示せぬ帯電ローラは、感光体ドラム２１２を一様に帯電させる部材である。
露光装置２０９は、帯電ローラによって一様に帯電された感光体ドラム２１２に、画像データに基づいて光を照射して、感光体ドラム２１２の表面に静電潜像を形成する露光手段である。露光装置２０９は、例えばＬＥＤヘッドによって構成されている。
トナーカートリッジ２１０は、現像剤であるトナーを収容する収容部である。
【００３４】
感光体ドラム２１２は、静電潜像及びトナー像を担持する像担持体である。感光体ドラム２１２は、図示せぬ帯電ローラにより帯電させられ、露光装置２０９から光が照射されることにより、表面に静電潜像が形成される。この後、感光体ドラム２１２は、図示せぬ現像ローラによってトナーが供給され、供給されたトナーが静電潜像に付着することにより、静電潜像をトナー像として顕像化（現像）する。
【００３５】
図示せぬ供給ローラは、トナーカートリッジ２１０に収容されたトナーを現像ローラに供給する部材である。
図示せぬ現像ローラは、感光体ドラム２１２の表面に形成された静電潜像にトナーを付着させて、感光体ドラム２１２の表面にトナー像を形成する部材である。
【００３６】
画像形成ユニット２１３は、図示せぬ帯電ローラが感光体ドラム２１２を一様に帯電し、露光装置２０９が感光体ドラム２１２の表面に静電潜像を形成し、図示せぬ現像ローラが感光体ドラム２１２の表面にトナー像を形成する。
【００３７】
一方、搬送ベルトユニット２１５は、搬送ベルトが、記録用媒体を４つの画像形成ユニット２１３の感光体ドラム２１２に接触させながら、定着装置２１６まで搬送する機構である。
【００３８】
搬送ベルトユニット２１５は、４つの転写ローラ２１４を備えている。
転写ローラ２１４は、画像形成ユニット２１３の感光体ドラム２１２の表面に形成されたトナー像を引き寄せて、トナー像を記録用媒体に転写する部材である。各転写ローラ２１４は、画像形成ユニット２１３の各感光体ドラム２１２と対向するように、図示せぬ搬送ベルトの内周に、設けられている。
【００３９】
搬送ベルトユニット２１５は、図示せぬ搬送ベルトによって記録用媒体を搬送しながら、転写ローラ２１４によって感光体ドラム２１２の表面に形成されたトナー像を記録用媒体に転写する。
【００４０】
定着装置２１６は、記録用媒体に転写されたトナー像を記録用媒体に定着させる機構である。定着装置２１６は、記録用媒体を加熱及び加圧して、記録用媒体に転写されたトナー像を溶融させる。これにより、トナー像が、記録用媒体に定着される。
排出ユニット２１７は、定着装置２１６によってトナー像が定着された記録用媒体をプリンタ部２の外に排出する機構である。
【００４１】
（スキャナ部（画像読取装置）の構成）
以下、図３及び図４を参照して、本実施形態１に係る画像読取装置であるスキャナ部３の構成につき説明する。図３及び図４は、それぞれ、実施形態１に係る画像読取装置の構成を示す図である。図３は、読取センサ４０の延伸方向から見た、スキャナ部３の内部構成を示している。また、図４は、図３に示すガイドシャフト３６の軸方向から見た、スキャナ部３の内部構成を示している。
【００４２】
スキャナ部３は、自動原稿搬送装置（ＡＤＦ）１０とフラットベッド（ＦＢ）２５とを備えた構成となっている。
ＡＤＦ１０は、原稿５を走行させて、走行する原稿５の画像を密着型イメージセンサ４０に読み取らせる装置である。ＡＤＦ１０は、ＦＢ２５や密着型イメージセンサ４０等を備える読取部３０の上方に設けられている。
一方、ＦＢ２５は、原稿５を載置して、載置された原稿５の画像を密着型イメージセンサ４０に読み取らせる原稿台である。ＦＢ２５は、ＡＤＦ１０の下方の読取部３０に設けられている。ＦＢ２５は、後記するＦＢ用コンタクトガラス３４の上面によって構成される。
以下、まず、ＡＤＦ１０の構成を説明し、次に、読取部３０の構成を説明する。
【００４３】
（ＡＤＦの構成）
まず、図３を参照して、ＡＤＦ１０の構成を説明する。図３に示すように、ＡＤＦ１０は、原稿トレイ１１、ピックアップローラ１２、分離ローラ１３、分離パッド１４、搬送路１５、搬送ローラ１６、プレッシャローラ１７、原稿押さえ部材１８、スプリング１９、原稿リフト部材２０、排出ローラ２１、プレッシャローラ２２、スタッカ部２３、及び外装部材２４を備えている。
【００４４】
原稿トレイ１１は、流し読取に供する原稿５が載置される台である。原稿トレイ１１は、一端が原稿５をＡＤＦ１０の内部に取り込む取り込み口となっている。その取り込み口の近傍には、ピックアップローラ１２が設けられており、さらに、その取り込み口の奥には、分離ローラ１３及び分離パッド１４が設けられている。
【００４５】
ピックアップローラ１２は、原稿トレイ１１に載置された原稿５をＡＤＦ１０内に繰り出すローラ部材である。
分離ローラ１３は、ピックアップローラ１２によって繰り出された原稿５を、分離パッド１４に押し付けながら回転することによって、原稿５を１枚ずつ分離搬送するローラ部材である。
分離パッド１４は、分離ローラ１３によって搬送される原稿５に負荷を与えて、原稿５を１枚ずつ分離する高負荷部材である。分離パッド１４は、分離ローラ１３の対向位置に設けられている。
【００４６】
搬送路１５は、分離ローラ１３及び分離パッド１４によって分離された原稿５を、スタッカ部２３に導く経路である。搬送路１５は、ＡＤＦ１０の内部に設けられており、始端が分離ローラ１３及び分離パッド１４に接続され、中間部分が後記するＡＤＦ用コンタクトガラス３３及び原稿リフト部材２０の上を通るように形成され、終端がスタッカ部２３に接続されている。
【００４７】
搬送ローラ１６は、原稿５をプレッシャローラ１７に押し付けながら回転することによって、原稿５を搬送するローラ部材である。搬送ローラ１６は、分離ローラ１３及び分離パッド１４と後記するＡＤＦ用コンタクトガラス３３との間に設けられており、分離ローラ１３及び分離パッド１４によって分離された原稿５を後記するＡＤＦ用コンタクトガラス３３に向けて搬送する。
プレッシャローラ１７は、搬送ローラ１６によって搬送される原稿５を加圧するローラ部材である。プレッシャローラ１７は、搬送ローラ１６の対向位置に設けられている。
【００４８】
原稿押さえ部材１８は、搬送路１５内を搬送される原稿５を、後記するＡＤＦ用コンタクトガラス３３に押し付ける加圧部材である。
スプリング１９は、原稿押さえ部材１８を後記するＡＤＦ用コンタクトガラス３３に付勢する付勢部材である。スプリング１９は、原稿押さえ部材１８の上部に設けられている。
【００４９】
原稿リフト部材２０は、流し読取時にＡＤＦ１０によって搬送された原稿５を、排出ローラ２１及びプレッシャローラ２２に導くためにすくい上げる部材である。原稿リフト部材２０は、後記するＡＤＦ用コンタクトガラス３３と排出ローラ２１及びプレッシャローラ２２との間に設けられている。原稿リフト部材２０は、後記するトップフレーム３２と一体に形成されている。
排出ローラ２１は、原稿５をプレッシャローラ２２に押し付けながら回転することによって、原稿５を搬送するローラ部材である。排出ローラ２１は、ＡＤＦ１０の外部に設けられたスタッカ部２３への原稿５の排出口に設けられている。排出ローラ２１は、流し読取時にＡＤＦ１０によって搬送された原稿５をスタッカ部２３の上に排出する。
プレッシャローラ２２は、排出ローラ２１によって搬送される原稿５を加圧するローラ部材である。プレッシャローラ２２は、排出ローラ２１の対向位置に設けられている。
【００５０】
スタッカ部２３は、流し読取時にＡＤＦ１０によって搬送された原稿５を集積する部位である。本実施形態１では、スタッカ部２３は、ＦＢ２５の上に載置された原稿５をＦＢ２５に押さえ付ける原稿押さえ部としても機能している。
外装部材２４は、ＡＤＦ１０の主要な構成要素を覆う部材である。
【００５１】
（読取部の構成）
次に、図３及び図４を参照して、読取部３０の構成を説明する。図３及び図４に示すように、読取部３０は、ボトムフレーム３１、トップフレーム３２、コンタクトガラス３３，３４、案内レール３５、ガイドシャフト３６、キャリッジ３７、コイルスプリング３８，３９、密着型イメージセンサ４０、及びスペーサ４１，４２を備えている。
【００５２】
ボトムフレーム３１は、密着型イメージセンサ４０等の読取部３０の主要な構成要素を収容するケース部材である。ボトムフレーム３１は、例えばプラスチック又は金属によって構成されている。
【００５３】
トップフレーム３２は、ボトムフレーム３１の上方を覆うカバー部材である。トップフレーム３２は、ボトムフレーム３１に対して、ラッチ４９によって着脱自在に取り付けられている。トップフレーム３２は、例えばプラスチックによって構成されている。トップフレーム３２は、ガイド部材である案内レール３５を支持する部材となっている。
【００５４】
コンタクトガラス３３は、流し読取時に原稿５が走行する原稿台となるコンタクトガラスである。一方、コンタクトガラス３４は、コンタクトガラス３３に並設され、載置読取時に原稿５が載置される原稿台となるコンタクトガラスである。以下、コンタクトガラス３３とコンタクトガラス３４とを区別する場合に、コンタクトガラス３３を「ＡＤＦ用コンタクトガラス３３」と称し、コンタクトガラス３４を「ＦＢ用コンタクトガラス３４」と称する。
【００５５】
ＡＤＦ用コンタクトガラス３３は、「課題を解決するための手段」に記載された第１のコンタクトガラスに相当する構成要素である。一方、ＦＢ用コンタクトガラス３４は、「課題を解決するための手段」に記載された第２のコンタクトガラスに相当する構成要素である。
【００５６】
案内レール３５は、「課題を解決するための手段」に記載されたガイド部材に相当する構成要素である。すなわち、案内レール３５は、密着型イメージセンサ４０の移動方向に沿ってＡＤＦ用コンタクトガラス３３及びＦＢ用コンタクトガラス３４の周囲に設けられ、密着型イメージセンサ４０の移動をガイド（案内）するガイド部材である。本実施形態１では、案内レール３５は、トップフレーム３２の裏面に、トップフレーム３２と一体に形成されているものとして説明する。なお、「裏面」とは、密着型イメージセンサ４０と対向する側の面を意味している。また、「表面」とは、媒体５が走行する又は載置される側の面を意味している。この案内レール３５は、トップフレーム３２と別体に形成され、トップフレーム３２に取り付けられる構成にすることも可能である。
【００５７】
ガイドシャフト３６は、密着型イメージセンサ４０が搭載されたキャリッジ３７を矢印Ｚ方向に誘導する部材である。ガイドシャフト３６は、ボトムフレーム３１の内部に、矢印Ｚ方向（すなわち、密着型イメージセンサ４０の移動方向）に延伸して設けられている。
【００５８】
キャリッジ３７は、密着型イメージセンサ４０及び間隔規制部材であるスペーサ４１，４２を支持する筐体である。キャリッジ３７は、図４に示すように、密着型イメージセンサ４０の長手方向の両端部に設けられたコイルスプリング３８，３９を介して、密着型イメージセンサ４０及びスペーサ４１，４２を保持している。したがって、密着型イメージセンサ４０及びスペーサ４１，４２は、コンタクトガラス３３，３４方向に付勢される。
【００５９】
キャリッジ３７は、図４に示すように、長手方向の中央付近に設けられたガイドシャフト３６によって支持されている。キャリッジ３７は、図示せぬ駆動源から駆動力が付与されて、密着型イメージセンサ４０及び間隔規制部材であるスペーサ４１，４２とともに、ＡＤＦ用コンタクトガラス３３の下面及びＦＢ用コンタクトガラス３４の下面を、ガイドシャフト３６に沿って、図３に示す矢印Ｚ方向に移動する。
【００６０】
ガイドシャフト３６及びキャリッジ３７は、「課題を解決するための手段」に記載された移動機構に相当する構成要素である。すなわち、ガイドシャフト３６及びキャリッジ３７は、間隔規制部材であるスペーサ４１，４２を案内レール３５に当接させた状態で、密着型イメージセンサ４０及びスペーサ４１，４２を案内レール３５に沿って移動させる移動機構である。
【００６１】
コイルスプリング３８，３９は、「課題を解決するための手段」に記載された付勢手段に相当する構成要素である。すなわち、コイルスプリング３８，３９は、それぞれ、密着型イメージセンサ４０及び間隔規制部材であるスペーサ４１，４２の双方を案内レール３５に付勢する付勢部材である。本実施形態１では、コイルスプリング３８，３９は、密着型イメージセンサ４０及びスペーサ４１，４２を案内レール３５に付勢している。
【００６２】
密着型イメージセンサ４０は、「課題を解決するための手段」に記載された読取センサに相当する構成要素である。すなわち、密着型イメージセンサ４０は、流し読取によりＡＤＦ用コンタクトガラス３３の上を走行する原稿５の画像及び載置読取によりＦＢ用コンタクトガラス３４の上に載置された原稿５の画像を読み取る読取センサである。密着型イメージセンサ４０は、例えばＣＣＤアレイとして構成されており、そのＣＣＤアレイの両端には間隔規制機構であるスペーサ４１，４２が設けられている。密着型イメージセンサ４０は、図示せぬ制御部により動作が制御される。
【００６３】
スペーサ４１，４２は、「課題を解決するための手段」に記載された間隔規制部材に相当する構成要素である。すなわち、スペーサ４１，４２は、それぞれ、密着型イメージセンサ４０の近傍（本実施形態１では、スペーサ４１，４２は、密着型イメージセンサ４０を構成するＣＣＤアレイの両端の上）に設けられ、案内レール３５との間隔を規制する間隔規制部材である。スペーサ４１，４２は、コイルスプリング３８，３９の付勢力により案内レール３５の下面に当接する。
【００６４】
スペーサ４１，４２は、例えば、ポリアセタール樹脂（ＰＯＭ）やナイロン等の摺動性のある樹脂で構成されている。これにより、スペーサ４１，４２は、密着型イメージセンサ４０が移動する際の摺動抵抗を極力軽減する。
【００６５】
以下、図５及び図６を参照してスキャナ部３の主要部の構成につき説明する。図５及び図６は、それぞれ、実施形態１に係る画像読取装置の主要部の構成を示す図である。図５は、図３に示す矢印Ａａ方向から見た、スキャナ部３のコンタクトガラス３３，３４の周囲の構成を示している。また、図６は、スキャナ部３の案内レール３５とスペーサ４１，４２との関係を示している。
【００６６】
図５に示すように、トップフレーム３２は、裏面の、コンタクトガラス３３，３４の沿部表面と対向する位置に、溝４７が設けられている。この溝４７は、両面テープ４８が貼り付けられる部位である。
両面テープ４８は、この溝４７の内部に貼り付けられ、さらに、その上にコンタクトガラス３３，３４が押し付けられることによって、コンタクトガラス３３，３４をトップフレーム３２の裏面（密着型イメージセンサ４０と対向する側の面）に固定する。
【００６７】
案内レール３５は、トップフレーム３２と一体形成されている。案内レール３５は、溝４７に隣接して、溝４７の長手方向（すなわち、密着型イメージセンサ４０の移動方向）に平行に設けられている。案内レール３５は、コンタクトガラス３３，３４の裏面と同程度の高さに形成されている。
【００６８】
案内レール３５は、図６に示すように、密着型イメージセンサ４０を構成するＣＣＤアレイの両端の上に設けられたスペーサ４１，４２と当接する。密着型イメージセンサ４０及びスペーサ４１，４２は、スペーサ４１，４２が案内レール３５に当接した状態で、案内レール３５に沿って移動する。
【００６９】
なお、コンタクトガラス３３，３４は、トップフレーム３２よりも硬い素材によって構成され、しかも、平面度の高い平板状に形成されている。案内レール３５が形成されたトップフレーム３２は、両面テープ４８によって、その平面度の高い平板状に形成されたコンタクトガラス３３，３４の裏面に固定されているため、仮に、反り等の歪みがあっても、歪みが矯正される。そのため、案内レール３５は、高さが高い寸法精度で一定に（すなわち、平坦に）維持される。したがって、スキャナ部３は、仮に、案内レール３５に反り等の歪みがあっても、その歪みがコンタクトガラス３３，３４によって矯正されるため、密着型イメージセンサ４０の最適な焦点距離を維持することができる。
【００７０】
なお、コンタクトガラス３３，３４は、図７に示すように、トップフレーム３２に一体に形成されたラッチ５４によって、固定されるようにしてもよい。図７は、実施形態１に係る画像読取装置の変形例の構成を示す図である。
【００７１】
＜複合装置の動作＞
以下、複合装置の動作につき説明する。まず、プリンタ部２の動作について説明し、次に、スキャナ部３の動作について説明する。
【００７２】
（プリンタ部の動作）
まず、図２を参照して、プリンタ部２の画像形成時の動作について説明する。
プリンタ部２は、画像形成時に、給紙ローラ２０３によって給紙カセット２０２から図示せぬ記録用媒体を一枚ずつ繰り出し、レジストローラ２０５及び搬送ローラ２０７によって画像形成部２０８に搬送するとともに、画像形成部２０８で、公知の電子写真方式によって感光体ドラム２１２の表面にトナー像を形成する。
次に、プリンタ部２は、記録用媒体を搬送しながら、転写ローラ２１４によって感光体ドラム２１２の表面に形成されたトナー像を記録用媒体上に転写する。この後、プリンタ部２は、トナー像が転写された記録用媒体を定着装置２１６に搬送する。
そして、プリンタ部２は、定着装置２１６によって記録用媒体を加熱及び加圧することによって、トナー像を溶融させる。これにより、トナー像が、記録用媒体に定着する。この後、プリンタ部２は、排出ユニット２１７によって記録用媒体をプリンタ部２の外部の図示せぬ集積部に排出する。
これにより、プリンタ部２の画像形成時の動作が終了する。
【００７３】
（スキャナ部（画像読取装置）の動作）
次に、図３を参照して、スキャナ部３の画像読取時の動作について説明する。スキャナ部３は、流し読取（すなわち、ＡＤＦ１０によって搬送された原稿５を読み取る動作）と載置読取（すなわち、ＦＢ２５上に載置された原稿５を読み取る動作）とを行うことができる。ここでは、流し読取時の動作を重点的に説明する。
【００７４】
複合装置１のユーザは、流し読取時に、原稿５をＡＤＦ１０の原稿トレイ１１に載置して、スキャナ部３の図示せぬ操作部に設けられたスタートボタンを押下する。
スキャナ部３は、スタートボタンが押下されると、図示しない駆動源（モータ）の駆動力によってピックアップローラ１２が回転させられ、原稿５をＡＤＦ１０内に繰り出す。
【００７５】
なお、スキャナ部３は、原稿トレイ１１の原稿５の取り入れ口の周囲に、図示せぬ媒体検出センサを備えている。スキャナ部３は、この媒体検出センサの検出状態に応じて、読取動作が流し読取か載置読取かを判別する。具体的には、スキャナ部３は、この媒体検出センサが媒体を検出する場合に、読取動作が流し読取であると判別し、この媒体検出センサが媒体を検出しない場合に、読取動作が載置読取であると判別する。
【００７６】
スキャナ部３は、繰り出された原稿５を、分離ローラ１３及び分離パッド１４に当接させる。このとき、原稿５は、分離パッド１４と当接する側にブレーキが掛かり、分離ローラ１３と当接する側に搬送力が付与される。そのため、スキャナ部３は、仮に、繰り出された原稿５が重走していても、分離ローラ１３及び分離パッド１４によって、１枚ずつ分離させる。
【００７７】
スキャナ部３は、搬送路１５内に設けられた搬送ローラ１６及びプレッシャローラ１７が、原稿５をＡＤＦ用コンタクトガラス３３に向けて搬送する。そして、スキャナ部３は、原稿５をＡＤＦ用コンタクトガラス３３の上を通過させながら、ＡＤＦ用コンタクトガラス３３の下に配置された密着型イメージセンサ４０によって原稿５の画像を読み取る。なお、ＡＤＦ用コンタクトガラス３３の上には、原稿押さえ部材１８が設けられている。その原稿押さえ部材１８は、スプリング１９によってＡＤＦ用コンタクトガラス３３方向に付勢されている。そのため、原稿５は、ＡＤＦ用コンタクトガラス３３の上を通過する際に、原稿押さえ部材１８によってＡＤＦ用コンタクトガラス３３方向に付勢される。これにより、原稿５は、ＡＤＦ用コンタクトガラス３３から浮き上がることなく、ＡＤＦ用コンタクトガラス３３の上を走行する。そのため、スキャナ部３は、密着型イメージセンサ４０によって原稿５の精密な画像を常に読み取ることができる。
【００７８】
スキャナ部３は、読み取られた原稿５を原稿リフト部材２０によってすくい上げて排出ローラ２１及びプレッシャローラ２２に導く。排出ローラ２１及びプレッシャローラ２２は、原稿５をスタッカ部２３の上に排出する。
【００７９】
この後、スキャナ部３は、例えば、読み取った原稿５の画像を画像データとして図示せぬ伝送部材によってプリンタ部２に送信する。これにより、プリンタ部２が、スキャナ部３によって読み取られた画像を記録用媒体に形成する。
【００８０】
また、複合装置１のユーザは、載置読取時に、原稿５をＦＢ２５（すなわち、ＦＢ用コンタクトガラス３４の上面）の上に載置して、スキャナ部３の図示せぬ操作部に設けられたスタートボタンを押下する。
スキャナ部３は、スタートボタンが押下されると、図示しない駆動源（モータ）の駆動力によって、密着型イメージセンサ４０及びスペーサ４１，４２を搭載するキャリッジ３７がガイドシャフト３６に沿って、矢印Ｚ方向に往復移動させられる。
【００８１】
そして、スキャナ部３は、ＦＢ用コンタクトガラス３４の下を移動する密着型イメージセンサ４０が、ＦＢ２５（すなわち、ＦＢ用コンタクトガラス３４の上面）の上に載置された原稿５の画像を読み取る。
【００８２】
この後、スキャナ部３は、例えば、読み取った原稿５の画像を画像データとして図示せぬ伝送部材によってプリンタ部２に送信する。これにより、プリンタ部２が、スキャナ部３によって読み取られた画像を記録用媒体に形成する。
【００８３】
ところで、密着型イメージセンサ４０は、流し読取と載置読取とが切り替わる際に、ＡＤＦ用コンタクトガラス３３とＦＢ用コンタクトガラス３４との間を移動する。このとき、スキャナ部３は、スペーサ４１，４２を案内レール３５に当接させた状態で、密着型イメージセンサ４０及びスペーサ４１，４２を案内レール３５に沿って移動させる。
【００８４】
したがって、スキャナ部３は、スペーサ４１，４２が密着型イメージセンサ４０とＡＤＦ用コンタクトガラス３３及びＦＢ用コンタクトガラス３４との間隔を規制しながら、案内レール３５が密着型イメージセンサ４０の移動を誘導する。
このとき、密着型イメージセンサ４０は、ＡＤＦ用コンタクトガラス３３とＦＢ用コンタクトガラス３４との間に段差が生じていても、段差のない案内レール３５によって誘導される。そのため、密着型イメージセンサ４０は、ＡＤＦ用コンタクトガラス３３とＦＢ用コンタクトガラス３４との間に生じる段差による衝撃を受けることなく、円滑に移動することができる。
【００８５】
以上の通り、本実施形態１に係るスキャナ部３によれば、密着型イメージセンサ４０の円滑な移動がＡＤＦ用コンタクトガラス３３とＦＢ用コンタクトガラス３４との間に生じる段差によって阻害されるのを防止することができる。
【００８６】
そのため、スキャナ部３によれば、密着型イメージセンサ４０がＡＤＦ用コンタクトガラス３３とＦＢ用コンタクトガラス３４との間に生じる段差による衝撃を受けないため、密着型イメージセンサ４０に損傷を与えるのを防ぐことができる。
また、スキャナ部３によれば、密着型イメージセンサ４０がＡＤＦ用コンタクトガラス３３とＦＢ用コンタクトガラス３４との間に生じる段差による衝撃を受けないため、密着型イメージセンサ４０及びその周囲の部材に寸法ずれ等が発生するのを防止でき、これにより、密着型イメージセンサ４０の最適な焦点距離を長期に亘って維持することができ、良好な画像読取を行うことができる。
【００８７】
また、スキャナ部３によれば、仮に、案内レール３５に反り等の歪みがあっても、その歪みがコンタクトガラス３３，３４によって矯正されるため、密着型イメージセンサ４０の最適な焦点距離を維持することができる。
【００８８】
［実施形態２］
以下、図８を参照して、本実施形態２に係る画像読取装置の構成につき説明する。図８は、実施形態２に係る画像読取装置の構成を示す図である。ここでは、実施形態１に係るスキャナ部３と相違する構成を重点的に説明し、実施形態１に係るスキャナ部３と同様の構成については説明を省略する。
【００８９】
実施形態１に係るスキャナ部３は、両面テープ４８が、ＡＤＦ用コンタクトガラス３３及びＦＢ用コンタクトガラス３４を支持する構成となっている。そのため、実施形態１に係るスキャナ部３は、押圧が原稿載置面側からコンタクトガラス３３，３４に加わる場合や、両面テープ４８の粘着力が弱まった場合に、コンタクトガラス３３，３４が落下する可能性がある。
【００９０】
これに対して、本実施形態２に係るスキャナ部３ａは、図８に示すように、略Ｌ字状に形成された案内レール３５ａが、ＡＤＦ用コンタクトガラス３３及びＦＢ用コンタクトガラス３４を支持する構成となっている。
【００９１】
案内レール３５ａは、トップフレーム３２の裏面（密着型イメージセンサ４０と対向する側の面）から略Ｌ字状に突出するように、トップフレーム３２の裏面に、トップフレーム３２と一体に形成されている。なお、案内レール３５ａは、略Ｌ字状の下辺部分が別体に形成され、その略Ｌ字状の下辺部分が取り付けられる構成にすることも可能である。
【００９２】
案内レール３５ａは、略Ｌ字状の下辺部分が、コンタクトガラス３３，３４の裏面（密着型イメージセンサ４０と対向する側の面）に回り込み、コンタクトガラス３３，３４を裏面側から支持する。コンタクトガラス３３，３４は、案内レール３５ａの略Ｌ字状の下辺部分の表面とトップフレーム３２の裏面との間に、取り付けられる。
【００９３】
案内レール３５ａは、略Ｌ字状の下辺部分の表面に、両面テープ４８ａが貼り付けられている。この両面テープ４８ａは、案内レール３５ａの略Ｌ字状の下辺部分とコンタクトガラス３３，３４とを固定する。
【００９４】
スキャナ部３ａは、案内レール３５ａの略Ｌ字状の下辺部分によってコンタクトガラス３３，３４を裏面側から支持している。そのため、スキャナ部３ａは、押圧が原稿載置面側からコンタクトガラス３３，３４に加わる場合や、両面テープ４８の粘着力が弱まった場合に、コンタクトガラス３３，３４が落下するのを防止することができる。その結果、スキャナ部３ａは、長期に亘ってコンタクトガラス３３，３４の位置を安定した状態で維持することができる。
【００９５】
案内レール３５ａは、密着型イメージセンサ４０を構成するＣＣＤアレイの両端の上に設けられたスペーサ４１，４２と当接する。密着型イメージセンサ４０及びスペーサ４１，４２は、スペーサ４１，４２が案内レール３５ａの略Ｌ字状の下辺部分の下面に当接した状態で、案内レール３５ａに沿って移動する。
【００９６】
なお、案内レール３５ａが形成されたトップフレーム３２は、両面テープ４８ａによって、平面度の高い平板状に形成されたコンタクトガラス３３，３４の裏面に固定されているため、仮に、反り等の歪みがあっても、歪みが矯正される。そのため、案内レール３５ａは、高さが高い寸法精度で一定に（すなわち、平坦に）維持される。したがって、スキャナ部３ａは、仮に、案内レール３５ａに反り等の歪みがあっても、その歪みがコンタクトガラス３３，３４によって矯正されるため、密着型イメージセンサ４０の最適な焦点距離を維持することができる。
【００９７】
以下、スキャナ部３ａの動作につき説明する。ここでは、実施形態１に係るスキャナ部３と相違する動作を重点的に説明し、実施形態１に係るスキャナ部３と同様の動作については説明を省略する。
【００９８】
密着型イメージセンサ４０は、流し読取と載置読取とが切り替わる際に、ＡＤＦ用コンタクトガラス３３とＦＢ用コンタクトガラス３４との間を移動する。このとき、スキャナ部３ａは、スペーサ４１，４２を案内レール３５ａの略Ｌ字状の下辺部分の下面に当接した状態で、密着型イメージセンサ４０及びスペーサ４１，４２を案内レール３５ａに沿って移動させる。
【００９９】
したがって、スキャナ部３ａは、スペーサ４１，４２によって密着型イメージセンサ４０とＡＤＦ用コンタクトガラス３３及びＦＢ用コンタクトガラス３４との間隔を規制しながら、案内レール３５ａによって密着型イメージセンサ４０の移動を誘導する。
このとき、密着型イメージセンサ４０は、ＡＤＦ用コンタクトガラス３３とＦＢ用コンタクトガラス３４との間に段差が生じていても、段差のない案内レール３５ａによって誘導される。そのため、密着型イメージセンサ４０は、実施形態１に係るスキャナ部３と同様に、ＡＤＦ用コンタクトガラス３３とＦＢ用コンタクトガラス３４との間に生じる段差による衝撃を受けることなく、円滑に移動することができる。
【０１００】
以上の通り、本実施形態２に係るスキャナ部３ａによれば、実施形態１に係るスキャナ部３と同様に、密着型イメージセンサ４０の円滑な移動がＡＤＦ用コンタクトガラス３３とＦＢ用コンタクトガラス３４との間に生じる段差によって阻害されるのを防止することができる。
【０１０１】
そのため、スキャナ部３ａによれば、実施形態１に係るスキャナ部３と同様に、密着型イメージセンサ４０がＡＤＦ用コンタクトガラス３３とＦＢ用コンタクトガラス３４との間に生じる段差による衝撃を受けないため、密着型イメージセンサ４０に損傷を与えるのを防ぐことができる。
また、スキャナ部３ａによれば、実施形態１に係るスキャナ部３と同様に、密着型イメージセンサ４０がＡＤＦ用コンタクトガラス３３とＦＢ用コンタクトガラス３４との間に生じる段差による衝撃を受けないため、密着型イメージセンサ４０及びその周囲の部材に寸法ずれ等が発生するのを防止でき、これにより、密着型イメージセンサ４０の最適な焦点距離を長期に亘って維持することができ、良好な画像読取を行うことができる。
【０１０２】
また、スキャナ部３ａによれば、仮に、案内レール３５ａに反り等の歪みがあっても、その歪みがコンタクトガラス３３，３４によって矯正されるため、密着型イメージセンサ４０の最適な焦点距離を維持することができる。
【０１０３】
さらに、スキャナ部３ａによれば、案内レール３５ａの略Ｌ字状の下辺部分によってコンタクトガラス３３，３４を裏面側から支持しているため、押圧が原稿載置面側からコンタクトガラス３３，３４に加わる場合や、両面テープ４８の粘着力が弱まった場合に、コンタクトガラス３３，３４が落下するのを防止することができる。その結果、スキャナ部３ａによれば、長期に亘ってコンタクトガラス３３，３４の位置を安定した状態で維持することができる。
【０１０４】
本発明は、前記した実施形態に限定されることなく、本発明の要旨を逸脱しない範囲で種々の変更や変形を行うことができる。
本発明は、スキャナ装置やファクシミリ装置等の画像読取装置、及び、当該画像読取装置と画像形成装置とを備える、複写機や、ＭＦＰ等の複合装置に適用することができる。
また、例えば、スペーサ４１，４２は、案内レール３５又は３５ａとの接触面に、ローラや球等の回転体を備える構成にしてもよい。
【符号の説明】
【０１０５】
１    複合装置
２    プリンタ部
３，３ａ    スキャナ部
５    原稿
１０    自動原稿搬送装置（ＡＤＦ）
１１    原稿トレイ
１２    ピックアップローラ
１３    分離ローラ
１４    分離パッド
１５    搬送路
１６    搬送ローラ
１７    プレッシャローラ
１８    原稿押さえ部材
１９    スプリング
２０    原稿リフト部材
２１    排出ローラ
２２    プレッシャローラ
２３    スタッカ部
２４    外装部材
２５    フラットベッド（ＦＢ）
３０，３０ａ    読取部
３１    ボトムフレーム
３２    トップフレーム
３３，３４    コンタクトガラス
３５，３５ａ    案内レール（ガイド部材）
３６    ガイドシャフト（移動機構）
３７    キャリッジ（移動機構）
３８，３９    コイルスプリング（付勢手段）
４０    密着型イメージセンサ（読取センサ）
４１，４２    スペーサ（間隔規制部材）
４７    溝
４８，４８ａ    両面テープ
４９，５４    ラッチ
２０１    機構部
２０２    給紙カセット
２０３    給紙ローラ
２０５    レジストローラ
２０７    搬送ローラ
２０８    画像形成部
２０９    露光装置
２１０    トナーカートリッジ
２１２    感光体ドラム
２１３    画像形成ユニット
２１４    転写ローラ
２１５    搬送ベルトユニット
２１６    定着装置
２１７    排出ユニット
ＳＮ１，ＳＮ２    媒体検出センサ
ＳＮ３    書き込みセンサ
【図１】
2011114434.tif 000003
【図２】
2011114434.tif 000004
【図３】
2011114434.tif 000005
【図４】
2011114434.tif 000006
【図５】
2011114434.tif 000007
【図６】
2011114434.tif 000008
【図７】
2011114434.tif 000009
【図８】
2011114434.tif 000010